(57)【要約】【課題】  この考案は、従来のスリッパ特有のペタペタという歩行音が発生しないように、また従来のスリッパのクッション性、快適性を高めるため、カポック繊維を用いた室内履き用の替底及び室内履きを提供する。【解決手段】  この考案に係る室内履き用の替底は、室内履きの底部の外形に略沿って裁断されたシート化されたカポック繊維１の下面に、これと略同形の布2を付して一体化し、このシート化したカポック繊維1の上面に両面テープ3を設け、その両面テープ3にはく離紙4を被せた構成にした。【選択図】図2
0003108171.tif 000002
【実用新案登録請求の範囲】
【請求項１】
室内履きの底部の外形に略沿って裁断されたシート化したカポック繊維の下面に、これと略同形の布を付して一体化し、このシート化したカポック繊維の上面に接着層を設け、その接着層に剥離紙を被せたことを特徴とする、室内履き用の替底。
【請求項２】
底が、シート化したカポック繊維と更にその下面に布を付した構造を有することを特徴とする、室内履き。
【請求項３】
室内履きの底部の外形に略沿って裁断されたシート化したカポック繊維の下面に、これと同形の布を付して一体化したことを特徴とする、室内履き用の替底。
【請求項４】
上記布が綿布であることを特徴とする、請求項1又は3に記載の室内履用の替底。
【請求項５】
上記布が綿布であることを特徴とする、請求項2に記載の室内履き。
【請求項６】
室内履きの底部の外形に略沿って配置されたカポック繊維の上面にこれと略同形の薄布を当て、下面に上記のカポック繊維と略同形の布を当てて上記カポック繊維を挟み込み、その状態で少なくとも外周縁部を接合することでこれらを一体化し、この一体化したものの上面に接着層を設け、更にその接着層に剥離紙を被せたことを特徴とする、室内履き用の替底。
【請求項７】
室内履きの底部の外形に略沿って配置されたカポック繊維の上面にこれと略同形の薄布を当て、下面に上記のカポック繊維と略同形の布を当てて上記カポック繊維を挟み込み、その状態で少なくとも外周縁部を接合することでこれらを一体化し、この一体化したものを底に有することを特徴とする、室内履き。
【請求項８】
室内履きの底部の外形に略沿って配置されたカポック繊維の上面にこれと略同形の薄布を当て、下面に上記のカポック繊維と略同形の布を当てて上記カポック繊維を挟み込み、その状態で少なくとも外周縁部を接合することでこれらを一体化したことを特徴とする、室内履き用の替底。
【請求項９】
室内履きの底部の外形に略沿って配置されたカポック繊維の下面に付ける布が綿布であることを特徴とする、請求項6又は8に記載の室内履き用の替底。
【請求項１０】
室内履きの底部の外形に略沿って配置されたカポック繊維の下面に付ける布が綿布であることを特徴とする、請求項7に記載の室内履き。
【請求項１１】
上記接着層として両面テープが貼着されていることを特徴とする、請求項1、4、6又は9のいずれかに記載の室内履用替底。
【考案の詳細な説明】
【技術分野】
【０００１】
この考案は、室内履きの底部に取り付ける植物繊維又は植物繊維製のシートを有し、当該植物繊維又は植物繊維製のシートの下面に床の汚れを拭き取るための布が付されている室内履きの替底及び底の部分が前記替底と同様に構成されている室内履きに関するものである。
【背景技術】
【０００２】
近年、日本の家屋が洋風化するにつれて、室内でスリッパ、サンダル、室内靴等の室内履きを履くことが多くなっている。またオフィスや病院やホテルなどにおいてもスリッパ等の室内履きに履き替える場合も多い。そのためスリッパも材質、形状、色彩、デザイン等を変えたものが非常に豊富に作られているが、その一般的な構造は、平板な下底と中芯及び中底の三者の周縁を縫い付けたものに、足と接する上底と足の甲を覆う前カバーを接着又は縫着して取り付けたものである。
【０００３】
またスリッパの中には、布ではなく塩化ビニール等の合成繊維を材料として用いているものがある。この合成繊維製のスリッパは薄く成型することが可能で安価に製造できるという利点がある。
【考案の開示】
【考案が解決しようとする課題】
【０００４】
しかし、前述した一般的なスリッパでは、堅い床や階段等を歩く際、足の動きに添わないスリッパの平板な下底のかかと部分が床や階段等をたたくため、スリッパ特有のぺたぺたという耳障りな音が発生するという問題が生じていた。特にマンション等の各戸の床は最近フローリングが多く、板敷きのため、スリッパの歩行音は周囲の住人にとって騒音となっている。
【０００５】
一方、前述した合成繊維製のスリッパにおいても他のスリッパと同様に歩行の際スリッパ特有のぺたぺたという騒音が発生し、また塩化ビニール等の合成繊維でできているため、クッション性が悪く、焼却処分の際有毒ガスが発生するという問題があった。
【０００６】
そこでこの考案は、スリッパ特有のぺたぺたという歩行音が発生しないようにし、またクッション性、快適性を高めるためカポック繊維を替底及び室内履きの底部に用いることにした。
【課題を解決するための手段】
【０００７】
請求項１記載の考案は、上記課題を解決するために、室内履きの底面形状と略同一形状のシート化されたカポック繊維とそのシートの下面に床の汚れを拭き取る布を付し、シート化されたカポック繊維上面に接着層を設け、その上にはく離紙を被せた替底とした。
【０００８】
請求項２記載の考案は、その底の部分が上述した請求項1記載の替底と同様の構成になっている室内履きとした。
【０００９】
請求項3記載の考案は、シート化されたカポック繊維とそのシートの下面に床の汚れを拭き取る布を付した替底とした。
【００１０】
この請求項3記載の替底によれば、請求項1記載の替底に比して、カポック繊維のシートの上面に接着層は設けられていない。したがって実際に替底として用いる場合には、カポック繊維のシートの上側に接着剤等を塗って、あるいは両面テープ等を用いて、スリッパ等の室内履きの底部と一体化する手段を講じる必要がある。
【００１１】
請求項４記載の考案は、請求項1及び3に記載の替底の床の汚れを拭き取る布を綿布と限定した替底である。
【００１２】
請求項５記載の考案は、請求項2の室内履きの床の汚れを拭き取る布を綿布に限定した室内履きである。
【００１３】
請求項6記載の考案は、室内履きの底面形状と略同一形状に配置されたカポック繊維を上面から薄布で、下面から床の汚れを拭き取る布で挟みこみ、この状態でトリミング及び縫いつけることでこれらを一体化し、この一体化したものの上面に接着層を設け、更にその上にはく離紙を被せた替底とした。
【００１４】
請求項7の考案は、その底の部分が上述した請求項6記載の替底と同様の構成になっている室内履きとした。
【００１５】
請求項８記載の考案は、室内履きの底面形状と略同一形状に配置されたカポック繊維を上面から薄布で、下面から床の汚れを拭き取る布で挟みこみ、この状態でトリミング及び縫いつけることでこれらを一体化した替底とした。
【００１６】
したがって、請求項3記載の替底の場合と同様に実際に替底として用いる場合には、上面設けられた薄布に接着剤等を塗って、あるいは両面テープ等を用いて、スリッパ等の室内履きの底部と一体化する手段を講じる必要がある。
【００１７】
請求項９記載の考案は、請求項６及び８に記載の替底の床の汚れを拭き取る布を綿布と限定した替底である。
【００１８】
請求項10記載の考案は、請求項7の室内履きの床の汚れを拭き取る布を綿布に限定した室内履きである。
【００１９】
請求項11記載の考案は、スリッパ等の室内履きの底の部分と一体化するための手段として両面テープを用いた替底である。
【考案の効果】
【００２０】
この考案の請求項1及び3記載の替底によれば、多孔質の植物性繊維であるカポック繊維製のシートを有し、このシートのもととなっているカポック繊維は円形の中空構造(＝パイプ状)になっているため弾力性に富んだ素材であり、この替底をスリッパ等の室内履きの底に装着することで、スリッパ等の室内履きのぺたぺたという歩行音が生じさせないようにし、スリッパ等の室内履きのクッション性、快適性を高めることができる。また、カポック繊維のシートの下面にボロ綿等の布を貼り付けることにより、歩行するだけで床の汚れを拭き取ることができる。またこの請求項１及び3の替底は主として植物性繊維であるカポック繊維と布によって構成されているため焼却しても有毒ガスが発生することはなく廃棄しやすい。また特に請求項1の替底は、カポック繊維のシートの上面に接着層を設けその上にはく離紙を被せる構成にしたことにより、カポック繊維のシートの下面に付した布が床の汚れを拭き取って使えなくなった場合に、簡単に新しい替底と取り替えることが可能である。
【００２１】
この考案の請求項2記載の室内履きによれば、カポック繊維のシートを底部に有しているため、歩行の際にぺたぺたという歩行音が生じることはなく、クッション性、快適性に優れており、カポック繊維のシートの下面に布が貼り付けられているため、歩行するだけで床の汚れを拭き取ることができる。
【００２２】
この考案の請求項6及び8記載の替底は、カポック繊維が室内履きの外形に略沿って配置されていることにより、シート化されたカポック繊維を用いた場合と同様に、この替底をスリッパ等の室内履きの底に装着することで、カポック繊維の弾力性を利用してスリッパ等の室内履きのぺたぺたという歩行音が生じさせないようにし、スリッパ等の室内履きのクッション性、快適性を高めることができる。また、カポックから採取されたカポック繊維そのままを用いるため、シート化する場合に比べて熱処理等の加工がいらず、替底の製造が容易となり、設備投資が少なくてすむようになる。
【００２３】
この考案の請求項7記載の室内履きによれば、カポック繊維が底部に配置されているため、シート化されたカポック繊維を用いた場合と同様に、歩行の際にぺたぺたという歩行音が生じることはなく、クッション性、快適性に優れている。
【００２４】
この考案の請求項4及び9記載の替底及び請求項5及び10記載の室内履きは、シート化されたカポック繊維の、あるいは加工されていないカポック繊維の下面に付された床の汚れを拭き取る布を綿布と限定したものである。綿布は、ぞうきんの材料として用いられているように床の水分を含んだ汚れ等を拭き取るのに最適であり、また綿布は安価で、入手しやすいという利点がある。
【００２５】
この考案の請求項11記載の替底は、シート化されたカポック繊維の上面に、あるいは薄布の上面に両面テープが貼付されていることにより、接着剤等で接着してしまう場合に比べて、床の汚れを拭き取る布が汚れ使えなくなり、替底を取り替える際に、室内履きからはがしやすいという利点があり、元の両面テープをきれいにはがせば、室内履きの底部の接着面はきれいな状態に戻り、再び新たな替底を貼り付けやすいという利点がある。 
【考案を実施するための最良の形態】
【００２６】
シート化したカポック繊維とそのシートの下面に布を付したことを特徴とする替底をスリッパ等の室内履きの底部に貼り付けることにより、カポック繊維の有する弾力性によって、歩行してもぺたぺたという騒音が生じることはなく、また室内履きのクッション性、快適性を高めることができる。さらに、カポック繊維のシートの下面に布を付すことによって、歩行するだけで床の汚れを拭くことができる。
【実施例１】
【００２７】
以下、この考案の実施例を図面に基づいて説明する。
図1で示されている実施例１の替底は、室内履きの底部の外形に略沿って裁断されたシート化したカポック繊維１と、同様に裁断された布２によって構成されている。
【００２８】
まず、シート化するためのカポック繊維１はカポックの種子から得られる。カポックは、熱帯、亜熱帯地方に生育するパンヤ科の喬木の一種で、現在はインドネシアを中心とした東南アジアが主産地になっている。長径12センチ、短径5センチの長円形の種子をつけるが、これには短い毛が生えており、この毛を採取したものがカポック繊維である。このカポック繊維は繊維の断面が円形の中空構造となっており（＝パイプ形状）、この中空部分が非常に大きい（中空率：70〜80%）ため弾力性に富み、またこの中空構造により弾力性、吸音性に富んでいる。またこの替底を通常のスリッパ等の室内履きの底に貼り付けることで、このスリッパを履いた場合に、シート化されたカポック繊維の弾力性により、スリッパに浮力が生じ、スリッパを軽く感じさせ、このスリッパを履いている者にフィット感を与え、快適に歩行することを可能にする。更に、この替底は主としてカポック繊維と布からできているため廃棄や焼却処分しやすいという利点がある。
【００２９】
次に、カポック繊維のシート化方法について説明する。カポック繊維は短繊維であり、かつ、繊維径が細く、軽量であるために、加工の際の繊維の飛散及び繊維相互の絡み合い不足が原因となり、カポック繊維単独では、シート化は困難である。そこで、カポック繊維塊の中に短繊維を混入し、この短繊維をカポック繊維と絡み合わせることにより、カポック繊維の飛散を防止して一定の形状に予備成形し、しかる後、この予備成形物を圧縮し、熱処理してカポック繊維のシート化をおこなう。カポック繊維と絡み合わせる短繊維としては、熱熔融性合成高分子からなる線状重合体を用いるが、ポリエチレン、ポリプロピレン、ポリスチレン等が望ましい。
【００３０】
以下、シート化方法の具体的手順について説明する。カポック繊維と繊維状ポリエチレンまたはポリプロピレンを準備したら、解毛機によってカポック繊維を解綿し、これにポリエチレンまたはポリプロピレンをカポック繊維100重量部につき、5〜100重量部、更に好ましくは20〜40重量部混合し、均一に両繊維を混合させて、予備成形する。次にこの混合物を圧縮して熱処理する。熱処理温度は、混合した線状重合体の種類によりその融点を基準として定められる。即ち、この熱処理によって熔融した線状重合体がカポック繊維との接触点においてカポック繊維に接着し、カポック繊維がバラバラになるのを防ぐのである。通常この熱処理温度は、130〜250℃の範囲あり、熱処理時間は7〜30分である。熱処理後、室内履きの底部の外形に沿って裁断する。
【００３１】
次にシート化されたカポック繊維１の下側に設ける布２であるが、図1~3おいては綿布を使用している。綿布を使用しているのは、上述したように水分等を吸収しやすいため、床の汚れを拭くのに最適であり、入手しやすく安価であるからである。なお、綿布でなくともガーゼとかタオル地のような布素材または例えばレーヨンとポリプロピレンとからなる合成繊維の混合物等でも床の汚れを拭くのに適している素材であればよい。シート化されたカポック繊維１と布２を一体化する方法については、間に接着剤を塗布して接着するか、布をシート化されたカポック繊維の外形に沿って、5ミリ程度やや内側に、糸で縫い付けてもよい。
【００３２】
次に、シート化されたカポック繊維１の上面の接着面における接着方法については、図2に示すように、シート化されたカポック繊維1の上面に両面テープ３が貼付され、その上にはく離紙４が被されている。なおもちろん、両面テープ3に代えて、アクリル系感圧性粘着剤あるいはゴム系粘着剤等の接着剤を直接、シート化されたカポック繊維１の上面に塗布し、その上にはく離紙4を被せておいてもよい。
【００３３】
更に、図１、２に示す接着層に被せられているはく離紙４は、平滑な紙にシリコーン系ポリマーが塗布されたものである。このはく離紙４を両面テープ３の接着面に被せておくことで、両面テープ３に付された接着剤の接着性を保っておくことができ、接着する場合にはこのはく離紙４をはがせばすぐに接着することが可能である。
【００３４】
そして、この替底の使用に当たっては、図2に示すようにはく離紙４をはがして、図3に示すように室内履き7の底面にこの替底を貼り付ければよい。
【実施例２】
【００３５】
図4〜6に示されている実施例2の室内履きは、室内履きの底に実施例1の形態で示した替底を一体化したものである。なお、実施例1の場合のように、底の部分を取り替えることを前提としていないため、図４〜６の通り、室内履きにおける履いた際に足が接する上底5とシート化されたカポック繊維１と汚れを拭き取るための布２によって3層に一体成形されて構成されている。
【実施例３】
【００３６】
図7は実施例3の替底を示す分解図である。この図7で示したように実施例3における替底では、実施例1及び2の場合のようにシート化されたカポック繊維1を用いるのではなく、カポック種子から採取されたカポック繊維9を人間の手又は機械等で繊維同士を粗く絡みあわせたものを用いる。したがって、シート化されたカポック繊維1を用いる場合のように、単にこのカポック繊維9の上面に接着層を設ける構成にすると、カポック繊維は単に粗く絡み合わされているだけであるため、均等に配置したカポック繊維が、この替底を室内履きに装着して歩行した場合に、偏ってしまったり、替底の側部からはみでてしまったりする可能性がある。
【００３７】
そこで、室内履きの底面形状と略同一形状になるようにカポック繊維9の繊維同士を絡みあわせて配置し、図7に示すように、そのカポック繊維9の上面に室内履きの底面形状と略同一形状のガーゼ8等の薄い布を当て、カポック繊維9の下面に床の汚れを拭き取るための、室内履きの底面形状と略同一形状の布2を当て、カポック繊維9を挟み込んだ状態にする。
なお、上面に当てる布は、下面に当てる布に比して薄い布というだけで、特に布であれば限定はない。
【００３８】
次に、この状態でトリミング(＝ふちかがり、端を縁取って縫うこと)、及び例えば図8のように中央部を適宜の間隔で縫い付けて、ガーゼ8、カポック繊維9、布2を一体化する。この縫い付けは、カポック繊維が偏ってしまったり、替底の側部からはみでてしまったりしないように、かつカポック繊維9の弾力性を保持しつつ、例えば格子状に縫い付ける必要がある。しかしながらこの実施例3のガーゼ8、カポック繊維9、布2を一体化する方法は他にもあり、例えばこれらの縁を接着剤等で接着し、また中央部をスポット接着する方法もある。
【００３９】
その上で、ガーゼ8の上面に両面テープ3等の接着層6を設け、更にその上にはく離紙４を被せて（図示省略）、替底を完成させる。
【００４０】
上記は替底として用いる場合であるが、ガーゼ8、カポック繊維9、布2を一体化したものを底に有する室内履きとしてもよい。
【図面の簡単な説明】
【００４１】
【図１】この考案の実施例1の替底を示す側面図である。
【図２】この考案の実施例1の替底を示す側面図で、カポック繊維のシートの上面に設けた両面テープの上のはく離紙を一部はがしたものである。
【図３】この考案の実施例1の替底を示す側面図で、替底を室内履きに貼り付けて一体化したものである。
【図４】この考案の実施例2の室内履きを示す分解図である。
【図５】この考案の実施例2の室内履きを示す側面図である。
【図６】この考案の実施例2の室内履きの底の部分の構成を示す拡大図である。
【図７】この考案の実施例3の替底の主な構成を示す分解図である。
【図８】この考案の実施例3のガーゼ8とカポック繊維9と布2を一体化した状態の図である。
【符号の説明】
【００４２】
1  シート化されたカポック繊維、  2  布、  3  両面テープ、
4  はく離紙、  5  上底、  6  接着層、  7  室内履き
8  ガーゼ、    9  カポック繊維、
10  トリミング（＝ふちかがり）、  11  ミシン目
【図１】
0003108171.tif 000003
【図２】
0003108171.tif 000004
【図３】
0003108171.tif 000005
【図４】
0003108171.tif 000006
【図５】
0003108171.tif 000007
【図６】
0003108171.tif 000008
【図７】
0003108171.tif 000009
【図８】
0003108171.tif 000010